(57)【要約】【課題】予め設定された配信サーバから広告などの音声を受信し出力できる配信クライアント装置を提供する。【解決手段】配信クライアント装置２のＳＩＰ応答機能部２３は、配信サーバ装置１から、音声通話着信を受けたなら、着信のメッセージに含まれる発信元情報が、認証リスト２７内のいずれかの認証キーに一致するか否かを判定し、一致したなら、着信応答を行う。スピーカ出力機能部２４は、配信サーバ装置１から送信される音声を受信し、スピーカ３６に出力する。【選択図】図１
2015026985.tif 000002
【特許請求の範囲】
【請求項１】
配信クライアント装置であって、
当該配信クライアント装置に音声を送信する配信サーバ装置を示す認証キーを含む認証リストを予め記憶するとともに、ネットワークで接続された配信サーバ装置から、音声通話着信を受けたなら、着信のメッセージに含まれる当該配信サーバ装置を示す発信元情報が、前記認証リスト内のいずれかの認証キーに一致するか否かを判定し、一致したなら、着信応答を行う手段と、
当該配信サーバ装置から送信される音声を受信し出力する手段と
を備えることを特徴とする配信クライアント装置。
【請求項２】
配信クライアント装置と配信サーバ装置とを含み、
前記配信クライアント装置は、
当該配信クライアント装置に音声を送信する配信サーバ装置を示す認証キーを含む認証リストを予め記憶するとともに、ネットワークで接続された配信サーバ装置から、音声通話着信を受けたなら、着信のメッセージに含まれる当該配信サーバ装置を示す発信元情報が、前記認証リスト内のいずれかの認証キーに一致するか否かを判定し、一致したなら、着信応答を行う手段と、
当該配信サーバ装置から送信される音声を受信し出力する手段と
を備え、
前記配信サーバ装置は、
当該配信サーバ装置から音声を受信する配信クライアント装置を示すグループユーザ情報を含む配信グループリストが予め記憶される手段と、
発信者の電話機から送信される音声を記録する手段と、
前記配信グループリストが予め記憶される手段から前記配信グループリストを受信し、当該配信グループリスト内のグループユーザ情報に対応する配信クライアント装置に対し、音声通話発信を行い、前記配信サーバ装置を示す発信元情報を含むメッセージを送信する手段と、
当該配信クライアント装置に対し、前記記録された音声を送信する手段とを備える
ことを特徴とする音声広告配信システム。
【請求項３】
配信サーバ装置であって、
当該配信サーバ装置から音声を受信する配信クライアント装置を示すグループユーザ情報を含む配信グループリストが予め記憶される手段と、
発信者の電話機から送信される音声を記録する手段と、
前記配信グループリストが予め記憶される手段から前記配信グループリストを受信し、当該配信グループリスト内のグループユーザ情報に対応する配信クライアント装置に対し、音声通話発信を行い、前記配信サーバ装置を示す発信元情報を含むメッセージを送信する手段と、
当該配信クライアント装置に対し、前記記録された音声を送信する手段と
を備えることを特徴とする配信サーバ装置。
【請求項４】
配信サーバ装置であって、
当該配信サーバ装置から音声を受信する配信クライアント装置を示すグループユーザ情報を含む配信グループリストが予め記憶される手段と、
発信者の電話機から送信されるテキストデータを音声に変換する手段と、
変換された音声を記録する手段と、
前記配信グループリストが予め記憶される手段から前記配信グループリストを受信し、当該配信グループリスト内のグループユーザ情報に対応する配信クライアント装置に対し、音声通話発信を行い、前記配信サーバ装置を示す発信元情報を含むメッセージを送信する手段と、
当該配信クライアント装置に対し、前記記録された音声を送信する手段と
を備えることを特徴とする配信サーバ装置。
【請求項５】
配信クライアント装置の動作方法であって、
前記配信クライアント装置は、当該配信クライアント装置に音声を送信する配信サーバ装置を示す認証キーを含む認証リストを予め記憶しており、
前記動作方法は、
前記配信クライアント装置が、ネットワークで接続された配信サーバ装置から、音声通話着信を受けたなら、着信のメッセージに含まれる当該配信サーバ装置を示す発信元情報が、前記認証リスト内のいずれかの認証キーに一致するか否かを判定し、一致したなら、着信応答を行い、
前記配信クライアント装置が、当該配信サーバ装置から送信される音声を受信し出力する
ことを特徴とする配信クライアント装置の動作方法。
【請求項６】
配信サーバ装置の動作方法であって、
前記配信サーバ装置は、当該配信サーバ装置から音声を受信する配信クライアント装置を示すグループユーザ情報を含む配信グループリストが予め記憶される手段を備え、
前記動作方法は、
前記配信サーバ装置が、発信者の電話機から送信される音声を記録し、
前記配信サーバ装置が、前記配信グループリストが予め記憶される手段から前記配信グループリストを受信し、当該配信グループリスト内のグループユーザ情報に対応する配信クライアント装置に対し、音声通話発信を行い、前記配信サーバ装置を示す発信元情報を含むメッセージを送信し、
前記配信サーバ装置が、当該配信クライアント装置に対し、前記記録された音声を送信する
ことを特徴とする配信サーバ装置の動作方法。
【請求項７】
請求項１記載の配信クライアント装置としてコンピュータを機能させるためのコンピュータプログラム。
【請求項８】
請求項３または４記載の配信サーバ装置としてコンピュータを機能させるためのコンピュータプログラム。
【発明の詳細な説明】
【技術分野】
【０００１】
本発明は、配信クライアント装置およびその動作方法、音声広告配信システム、配信サーバ装置およびその動作方法、ならびにコンピュータプログラムに関する。
【背景技術】
【０００２】
中小規模の商店において、リアルタイムな自店の宣伝を行う場合、チラシを店頭で配る、商店街の道路上で放送する、メールやＳＮＳなどで配信する、などの工夫が行われている。
【０００３】
しかしながら、チラシや商店街の道路上での放送は、近隣に店舗が存在しない場合はリアルタイム性に乏しくタイムセールなどを効果的に周知できない。
【０００４】
また、メールなどの電子的な配信では、広告受信者が携帯電話などのメール受信端末を持つ人に限られる。
【０００５】
一方で、大型スーパーやショッピングモールにおいては、各売り場のタイムセールを全売り場の店内放送で案内し、ある売り場に客を集めるということが日常的に行われている。
【０００６】
中小規模の商店においても、他店舗の店内放送を利用して自店の広告をリアルタイムに行うことは効果的と考えられる。
【０００７】
上記のような音声広告一斉配信・再生システムを、構築するにあたって、以下に述べる課題があった。
【０００８】
近年、音声配信のためのプロトコルとして、 SIPプロトコルが利用されている。SIPプロトコルには、多地点に対し音声を一斉配信するための技術として、第三者呼制御による複数ユーザ間通話機能とボイスメール機能があり、SIPアプリケーションとしてサービス化されている。
【０００９】
非特許文献１では、第三者呼制御機能を利用して複数のユーザと同時に通話する電話会議システムが紹介されている。この実装においては、着呼側は着信順に１つのストリーミング音声に参加することになるため、通話に参加するタイミングによって、音声の頭切れが発生するという問題があった。
【００１０】
またこの他の例として、ボイスメール機能を利用して、あるグループに音声を一斉配信し再生させる場合、ボイスメールを一斉配信したい発呼側には配信グループを指定する機能を搭載した端末が必要であり、単純な電話機では運用できない問題があった。また同時に、着呼側にSIPプロトコルの自動応答機能を搭載した端末が必要であるという問題があった。
【００１１】
同様に、従来、不特定多数に対して音声広告を一斉配信するための、パケット網・電話網を利用した技術が検討されてきたが、広告受信者自らが応答した上で配信することが前提であり、スピーカ等の既存の店内設備を利用して音声広告を自動で再生することができなかった。
【先行技術文献】
【特許文献】
【００１２】
【特許文献１】特開２００３−２８３６５２号公報
【非特許文献】
【００１３】
【非特許文献１】Henry Sinnreich著「マスタリングTCP/IP SIP編」（オーム社）
【発明の概要】
【発明が解決しようとする課題】
【００１４】
上記の事情から、IP電話やスピーカ等の既存の店内設備を活用し、広告提供者から電話で提供された音声広告を、広告配信者が指定した店舗グループに一斉配信でき、且つ、ホームゲートウェイ上で音声広告を自動受信し、広告配信者が登録した時刻とほぼ同時刻にスピーカなどの既存の音声再生設備に転送できるようにする技術が求められる。
【００１５】
本発明は、広告などの音声を予めグループ化された配信クライアント装置に送信できる配信サーバ装置、予め設定された配信サーバから広告などの音声を受信し出力できる配信クライアント装置、およびこれらの配信サーバ装置と配信クライアント装置を備える音声広告配信システムを提供することを目的とする。
【課題を解決するための手段】
【００１６】
上記の課題を解決するために、第１の本発明は、配信クライアント装置であって、当該配信クライアント装置に音声を送信する配信サーバ装置を示す認証キーを含む認証リストを予め記憶するとともに、ネットワークで接続された配信サーバ装置から、音声通話着信を受けたなら、着信のメッセージに含まれる当該配信サーバ装置を示す発信元情報が、前記認証リスト内のいずれかの認証キーに一致するか否かを判定し、一致したなら、着信応答を行う手段と、当該配信サーバ装置から送信される音声を受信し出力する手段とを備えることを特徴とする。
【００１７】
第２の本発明は、配信クライアント装置と配信サーバ装置とを含み、前記配信クライアント装置は、当該配信クライアント装置に音声を送信する配信サーバ装置を示す認証キーを含む認証リストを予め記憶するとともに、ネットワークで接続された配信サーバ装置から、音声通話着信を受けたなら、着信のメッセージに含まれる当該配信サーバ装置を示す発信元情報が、前記認証リスト内のいずれかの認証キーに一致するか否かを判定し、一致したなら、着信応答を行う手段と、当該配信サーバ装置から送信される音声を受信し出力する手段とを備え、前記配信サーバ装置は、当該配信サーバ装置から音声を受信する配信クライアント装置を示すグループユーザ情報を含む配信グループリストが予め記憶される手段と、発信者の電話機から送信される音声を記録する手段と、前記配信グループリストが予め記憶される手段から前記配信グループリストを受信し、当該配信グループリスト内のグループユーザ情報に対応する配信クライアント装置に対し、音声通話発信を行い、前記配信サーバ装置を示す発信元情報を含むメッセージを送信する手段と、当該配信クライアント装置に対し、前記記録された音声を送信する手段とを備えることを特徴とする。
【００１８】
第３の本発明は、配信サーバ装置であって、当該配信サーバ装置から音声を受信する配信クライアント装置を示すグループユーザ情報を含む配信グループリストが予め記憶される手段と、発信者の電話機から送信される音声を記録する手段と、前記配信グループリストが予め記憶される手段から前記配信グループリストを受信し、当該配信グループリスト内のグループユーザ情報に対応する配信クライアント装置に対し、音声通話発信を行い、前記配信サーバ装置を示す発信元情報を含むメッセージを送信する手段と、当該配信クライアント装置に対し、前記記録された音声を送信する手段とを備えることを特徴とする。
【００１９】
第４の本発明は、配信サーバ装置であって、当該配信サーバ装置から音声を受信する配信クライアント装置を示すグループユーザ情報を含む配信グループリストが予め記憶される手段と、発信者の電話機から送信されるテキストデータを音声に変換する手段と、変換された音声を記録する手段と、前記配信グループリストが予め記憶される手段から前記配信グループリストを受信し、当該配信グループリスト内のグループユーザ情報に対応する配信クライアント装置に対し、音声通話発信を行い、前記配信サーバ装置を示す発信元情報を含むメッセージを送信する手段と、当該配信クライアント装置に対し、前記記録された音声を送信する手段とを備えることを特徴とする。
【００２０】
第５の本発明は、配信クライアント装置の動作方法であって、前記配信クライアント装置は、当該配信クライアント装置に音声を送信する配信サーバ装置を示す認証キーを含む認証リストを予め記憶しており、前記動作方法は、前記配信クライアント装置が、ネットワークで接続された配信サーバ装置から、音声通話着信を受けたなら、着信のメッセージに含まれる当該配信サーバ装置を示す発信元情報が、前記認証リスト内のいずれかの認証キーに一致するか否かを判定し、一致したなら、着信応答を行い、前記配信クライアント装置が、当該配信サーバ装置から送信される音声を受信し出力することを特徴とする。
【００２１】
第６の本発明は、配信サーバ装置の動作方法であって、前記配信サーバ装置は、当該配信サーバ装置から音声を受信する配信クライアント装置を示すグループユーザ情報を含む配信グループリストが予め記憶される手段を備え、前記動作方法は、前記配信サーバ装置が、発信者の電話機から送信される音声を記録し、前記配信サーバ装置が、前記配信グループリストが予め記憶される手段から前記配信グループリストを受信し、当該配信グループリスト内のグループユーザ情報に対応する配信クライアント装置に対し、音声通話発信を行い、前記配信サーバ装置を示す発信元情報を含むメッセージを送信し、前記配信サーバ装置が、当該配信クライアント装置に対し、前記記録された音声を送信することを特徴とする。
【発明の効果】
【００２２】
本発明によれば、広告などの音声を予めグループ化された配信クライアント装置に送信できる配信サーバ装置、予め設定された配信サーバから広告などの音声を受信し出力できる配信クライアント装置、およびこれらの配信サーバ装置と配信クライアント装置を備える音声広告配信システムを提供することができる。
【図面の簡単な説明】
【００２３】
【図１】本実施の形態に係る音声広告配信システムの構成の一例を示す。
【図２】ＳＩＰ応答機能部１２における処理手順の一例を示す。
【図３】音声記録部１３における処理手順の一例を示す。
【図４】音声保存データベース４１の構成の一例を示す。
【図５】配信グループ記憶部１７に保持される配信グループリスト５１の一例を示す。
【図６】配信グループ記憶部１７における処理手順の一例を示す。
【図７】音声発信制御部１５における処理手順の一例を示す。
【図８】ＳＩＰ発信機能部１６における処理手順の一例を示す。
【図９】配信クライアント装置２のＳＩＰ応答機能部２３における処理手順の一例を示す。
【図１０】配信サーバ装置１が複数設けられた場合における各配信サーバ装置１の認証キーを含む認証リスト２７の一例を示す。
【図１１】音声変換機能部２５における処理手順の一例を示す。
【図１２】配信グループ登録解除装置３５の構成の一例を示す。
【図１３】配信グループリスト管理者用応答部１３１に記憶される管理情報７１の一例を示す。
【図１４】配信グループリスト管理者用応答部１３１において配信グループリスト５１を新規作成する手順の一例を示す。
【図１５】配信グループリスト５１を新規作成する際に使用されるリスト情報１４１の一例を示す。
【図１６】配信グループリスト管理者用応答部１３１において配信グループリスト５１を削除する手順の一例を示す。
【図１７】配信グループリスト５１を削除する際に使用されるリスト情報１４１の一例を示す。
【図１８】配信グループリスト管理者用応答部１３１において配信グループリスト５１に対しグループユーザ情報の追加・変更・削除を行う手順の一例を示す。
【図１９】配信グループリスト５１に対しグループユーザ情報の追加・変更・削除を行う際に使用されるリスト情報１６１の一例を示す。
【図２０】配信グループリスト登録者用応答部１３２における処理手順の一例を示す。
【図２１】データ転送部１３３における処理手順の一例を示す。
【発明を実施するための形態】
【００２４】
以下、本発明の実施の形態について図面を参照して説明する。
【００２５】
図１は、本実施の形態に係る音声広告配信システムの構成の一例を示す。
【００２６】
音声広告配信システムは、配信サーバ装置１および、配信クライアント装置２を含む。配信クライアント装置２は、通常は複数設けられるが、図では、その１つを示す。配信クライアント装置２は、例えば、商店街の花屋、魚屋、肉屋などの店舗に設けられたホームゲートウェイ上に実装される。
【００２７】
配信サーバ装置１は、音声広告受信機能部１１、音声広告配信機能部１４および、配信グループ記憶部１７を備え、音声広告受信機能部１１は、ＳＩＰ応答機能部１２および、音声記録部１３を備え、音声広告配信機能部１４は、音声発信制御部１５および、ＳＩＰ発信機能部１６を備える。音声記録部１３は、音声保存データベース４１を備える。
【００２８】
配信サーバ装置１は、ＳＩＰサーバ３４および、配信グループ登録解除装置３５に接続されている。
【００２９】
ＳＩＰサーバ３４は、配信サーバ装置１、配信クライアント装置２および、広告提供者の電話機３３に接続されている。電話機３３は、例えば、商店街にある肉屋さんの電話機である。
【００３０】
配信クライアント装置２は、ＳＩＰプロトコルモジュール２１および、音声広告受信機能部２２を備える。
【００３１】
音声広告受信機能部２２は、ＳＩＰ応答機能部２３および、スピーカ出力機能部２４を備える。ＳＩＰ応答機能部２３は、認証リスト２７を備える。  
スピーカ出力機能部２４は、音声変換機能部２５および、再生機能部２６を備える。
【００３２】
配信クライアント装置２は、例えば、ホームゲートウェイに設けられ、ＳＩＰサーバ３４、スピーカ３６および、電話機３７に接続されている。図示しない配信クライアント装置２は、別のＳＩＰサーバに接続されていてもよい。
【００３３】
図２は、ＳＩＰ応答機能部１２における処理手順の一例を示す。
【００３４】
ステップＳ１：ＳＩＰ応答機能部１２は、電話機３３からＳＩＰサーバ３４を介して送信されるＩＮＶＩＴＥメッセージを待機する。  
ステップＳ３：ＳＩＰ応答機能部１２は、ＩＮＶＩＴＥメッセージを受信したなら、直ちにまたは一定時間経過後、ＳＩＰサーバ３４に２００ＯＫを送信し、電話機３３との通話を確立する。  
ステップＳ５：次に、ＳＩＰ応答機能部１２は、音声記録部１３に電話機３３との通話確立を通知する。
【００３５】
ステップＳ７：次に、ＳＩＰ応答機能部１２は、電話機３３からＳＩＰサーバ３４を介して送信されるＢＹＥメッセージを待機する。  
ステップＳ９：また、ＳＩＰ応答機能部１２は、音声記録部１３からの切断通知を待機する。  
ステップＳ１１、１３：ＳＩＰ応答機能部１２は、ＢＹＥメッセージを受信したなら、音声記録部１３に切断を通知し、ＳＩＰサーバ３４に２００ＯＫを送信し、ステップＳ１に戻る。通話は切断される。
【００３６】
ステップＳ１５：ＳＩＰ応答機能部１２は、切断通知を受信したなら、ＳＩＰサーバ３４にＢＹＥメッセージを送信し、ステップＳ１に戻る。通話は切断される。
【００３７】
図３は、音声記録部１３における処理手順の一例を示す。
【００３８】
ステップＳ２１：音声記録部１３は、ＳＩＰ応答機能部１２からの通話確立の通知を待機する。  
ステップＳ２３：音声記録部１３は、通話確立の通知を受信したなら、ダイヤルトーン入力を受け付け、リストＩＤ４５の入力を待機する。なお、音声記録部１３は、ＳＩＰサーバ３４から、電話機３３の電話番号またはＳＩＰアドレスである発信元情報４４が送信されるので、これを受信する。音声記録部１３は、リストＩＤ４５が入力されたなら、配信グループ記憶部１７に発信元情報４４とリストＩＤ４５を送信する。
【００３９】
ステップＳ２５：音声記録部１３は、配信グループ記憶部１７から、リストＩＤ４５がないとの回答を受信したなら、ＳＩＰ応答機能部１２に切断を通知し、ステップＳ２１に戻る。  
ステップＳ２７：音声記録部１３は、配信グループ記憶部１７から、リストＩＤ４５があるとの回答を受信なら、電話機３３からの音声の録音を開始する。  
この音声は、例えば、「肉屋さんで、今からタイムセールをはじめます。」というような音声の広告である。
【００４０】
ステップＳ３１：音声記録部１３は、音声を録音しつつ、ＳＩＰ応答機能部１２からの切断通知を待機する。  
ステップＳ３３：音声記録部１３は、切断通知を受信したなら、録音を終了し、録音した音声の音声ファイル４３、これを示す音声ファイルＩＤ４２、受信した発信元情報４４および、リストＩＤ４５を含むレコードを音声保存データベース４１に記憶させる。
【００４１】
ステップＳ３５：次に、音声記録部１３は、音声発信制御部１５に対し、音声ファイルＩＤ４２を含む音声ファイル登録通知を送信し、ステップＳ２１に戻る。
【００４２】
図４は、音声保存データベース４１の構成の一例を示す。
【００４３】
音声ファイルＩＤ４２は、例えば、ＳＩＰサーバ３４から送信される発信元の電話番号またはＳＩＰアドレスおよび、記録年月日時分秒を示す文字列を含む。  
音声ファイル４３は、ここでは、便宜的にファイル名で表現する。ファイル名は、記録年月日時分秒を示す文字列を含む。  
発信元情報４４は、ＳＩＰサーバ３４から送信される発信元の電話番号またはＳＩＰアドレスである。ＳＩＰアドレスは、例えば、「sip:ユーザ名＠ドメイン名」の形式で表現される。  
リストＩＤ４５は、０から９までの数字の組み合わせで表される。
【００４４】
図５は、配信グループ記憶部１７に保持される配信グループリスト５１の一例を示す。
【００４５】
配信グループ記憶部１７は、予め１以上の配信グループリスト５１を保持し、配信グループリスト５１にはリストＩＤ４５が割り当てられている。また、配信グループリスト５１は、複数のグループユーザ情報を含む。各グループユーザ情報は、電話番号またはＳＩＰアドレスである。
【００４６】
図６は、配信グループ記憶部１７における処理手順の一例を示す。
【００４７】
ステップＳ４１：配信グループ記憶部１７は、音声記録部１３から発信元情報４４とリストＩＤ４５が送信されるのを待機する。  
ステップＳ４３：配信グループ記憶部１７は、発信元情報４４とリストＩＤ４５を受信したなら、リストＩＤ４５を割り当てられた配信グループリスト５１を検索する。  
ステップＳ４５：配信グループ記憶部１７は、該当の配信グループリスト５１があったなら、配信グループリスト５１において、発信元情報４４と同じグループユーザ情報があるか否かを判定する。
【００４８】
ステップＳ４７：配信グループ記憶部１７は、グループユーザ情報があったなら、リストＩＤ４５があるとの回答を音声記録部１３に送信し、ステップＳ１に戻る。  
ステップＳ４９：配信グループ記憶部１７は、配信グループリスト５１がなかったなら、または、グループユーザ情報がなかったなら、リストＩＤ４５がない旨の回答を音声記録部１３に送信し、ステップＳ１に戻る。
【００４９】
図７は、音声発信制御部１５における処理手順の一例を示す。
【００５０】
ステップＳ５１：音声発信制御部１５は、音声記録部１３からの音声ファイル登録通知を待機する。  
ステップＳ５３：音声発信制御部１５は、音声ファイル登録通知を受信したなら、含まれるリストＩＤ４５および、発信元情報４４を配信グループ記憶部１７に送信する。  
ステップＳ５５：次に、音声発信制御部１５は、配信グループ記憶部１７から配信グループリスト５１を待機する。
【００５１】
ステップＳ５６：音声発信制御部１５は、配信グループリスト５１を受信できなかったなら、音声記録部１３にエラーを通知し、ステップＳ５１に戻る。  
ステップＳ５７：音声発信制御部１５は、配信グループリスト５１を受信したなら、発信元のグループユーザ情報を除く各グループユーザ情報につき、子プロセス７００を生成する。また、音声発信制御部１５は、各子プロセス７００にＳＩＰアドレスを割り当てる。ＳＩＰアドレスは、音声ファイル登録通知に含まれていたリストＩＤ４５、該当のグループユーザ情報および、所定のドメイン名で構成される。
【００５２】
ステップＳ８１、８３：各子プロセス７００は、該当のグループユーザ情報が電話番号なら、電話番号をＳＩＰサーバ３４に送信し、対応するＳＩＰアドレスを受信する。  
ステップＳ８５：子プロセス７００は、該当のグループユーザ情報であるＳＩＰアドレスまたはＳＩＰサーバ３４から受信したＳＩＰアドレスを含む発信要求をＳＩＰ発信機能部１６に送信する。  
ステップＳ８７：子プロセス７００は、ＳＩＰ発信機能部１６からの通話確立通知の受信を待機する。
【００５３】
ステップＳ８９：子プロセス７００は、通話確立通知を受信したなら、受信した音声ファイル登録通知に含まれる音声ファイルＩＤを音声記録部１３に送信し、対応する音声ファイルを受信し、これを再生する。  
ステップＳ９１：子プロセス７００は、音声ファイルの再生が終了したなら、ＳＩＰ発信機能部１６に切断要求を送信し、ステップＳ５１に戻る。
【００５４】
図８は、ＳＩＰ発信機能部１６における処理手順の一例を示す。
【００５５】
ステップＳ１０１、Ｓ１０３：ＳＩＰ発信機能部１６は、音声発信制御部１５から発信要求を受信したなら、ＳＩＰサーバ３４を介して配信クライアント装置２のＳＩＰ応答機能部２３にＩＮＶＩＴＥメッセージを送信する。
【００５６】
ステップＳ１０５、Ｓ１０７：ＳＩＰ発信機能部１６は、配信クライアント装置２のＳＩＰ応答機能部２３からＳＩＰサーバ３４を介して２００ＯＫを受信したなら、配信クライアント装置２のＳＩＰ応答機能部２３と通話を確立し、音声発信制御部１５に通話確立通知を送信する。
【００５７】
ステップＳ１０９、Ｓ１１１：ＳＩＰ発信機能部１６は、音声発信制御部１５からの切断通知を待機し、切断通知を受信したなら、ＳＩＰサーバ３４にＢＹＥメッセージを送信する。  
ステップＳ１１３：ＳＩＰ発信機能部１６は、ＳＩＰサーバ３４から２００ＯＫを受信したなら、ステップＳ１０１に戻る。
【００５８】
図９は、配信クライアント装置２のＳＩＰ応答機能部２３における処理手順の一例を示す。
【００５９】
ステップＳ１２１、Ｓ１２３：ＳＩＰ応答機能部２３は、ＳＩＰ発信機能部１６からＳＩＰサーバ３４を介して送信されるＩＮＶＩＴＥメッセージを待機し、ＩＮＶＩＴＥメッセージを受信したなら、ＩＮＶＩＴＥメッセージに含まれる発信元情報が、配信クライアント装置２に保持されている、図１０に示すような認証リスト２７内のいずれかの認証キーに一致するか否かを判定する。
【００６０】
図１０は、配信サーバ装置１が複数設けられた場合における各配信サーバ装置１の認証キーを含む認証リスト２７の一例を示す。
【００６１】
図９に戻り、ステップＳ１２５：ＳＩＰ応答機能部２３は、発信元情報がいずれかの認証キーにも一致しないなら、電話機３７にＩＮＶＩＴＥメッセージを転送し、以降のＳＩＰメッセージは電話機３７とやりとりさせる。制御はステップＳ１２１に戻る。
【００６２】
ステップＳ１２７：ＳＩＰ応答機能部２３は、発信元情報がいずれかの認証キーに一致したなら、直ちにまたは一定時間経過後に、ＳＩＰサーバ３４に２００ＯＫを送信し、ＳＩＰ発信機能部１６との通話を確立する。
【００６３】
ステップＳ１２９：ＳＩＰ応答機能部２３は、音声変換機能部２５にＳＩＰ発信機能部１６との通話確立を通知する。  
ステップＳ１３１：ＳＩＰ応答機能部２３は、ＳＩＰ発信機能部１６からＳＩＰサーバ３４を介して送信されるＢＹＥメッセージを待機する。
【００６４】
ステップＳ１３３、Ｓ１３５：ＳＩＰ応答機能部２３は、ＢＹＥメッセージを受信したなら、音声変換機能部２５に切断通知を送信するとともに、ＳＩＰサーバ３４に２００ＯＫを送信し、ＳＩＰ発信機能部１６との通話を切断し、ステップＳ１２１に戻る。
【００６５】
図１１は、音声変換機能部２５における処理手順の一例を示す。
【００６６】
ステップＳ１４１、Ｓ１４３：音声変換機能部２５は、配信クライアント装置２のＳＩＰ応答機能部２３から送信される通話確立通知を待機し、通話確立通知を受信したなら、配信クライアント装置２に接続されているスピーカ３００を検索する。
【００６７】
ステップＳ１４５、Ｓ１４７、Ｓ１４９：音声変換機能部２５は、通話によって得られた音声を受信しスピーカ３００のインタフェースに応じた音声変換を行い、再生機能部２６に送信する。再生機能部２６は、スピーカ３００に音声を出力する。
【００６８】
ステップＳ１５１：音声変換機能部２５は、音声受信、変換、再生機能部２６への送信の間に、配信クライアント装置２のＳＩＰ応答機能部２３から送信される切断通知を待機する。
【００６９】
ステップＳ１５３：音声変換機能部２５は、切断通知を受信したなら、音声受信、変換、送信を停止し、ステップＳ１４１に戻る。また、音声変換機能部２５は、音声送信を終了したなら、ステップＳ１４１に戻る。
【００７０】
図１２は、配信グループ登録解除装置３５の構成の一例を示す。
【００７１】
配信グループ登録解除装置３５は、配信グループリスト管理者用応答部１３１、配信グループリスト登録者用応答部１３２および、データ転送部１３３を備える。
【００７２】
配信グループリスト管理者用応答部１３１は、配信グループリスト管理者電話機１３４に対し、電話網またはＳＩＰ網を介して接続される。配信グループリスト管理者電話機１３４は、複数のうちの１つを示す。
【００７３】
配信グループリスト登録者用応答部１３２は、配信先ユーザ電話機１３５に対し、電話網またはＳＩＰ網を介して接続される。配信先ユーザ電話機１３５は、複数のうちの１つを示す。
【００７４】
データ転送部１３３は、配信サーバ装置１の配信グループ記憶部１７に対し、インターネット網を介して又は直接接続される。  
また、データ転送部１３３は、配信クライアント装置２に対し、インターネット網を介して接続される。配信クライアント装置２は、複数のうちの１つを示す。
【００７５】
図１３は、配信グループリスト管理者用応答部１３１に記憶される管理情報７１の一例を示す。
【００７６】
配信グループリスト管理者用応答部１３１は、配信グループリスト管理者ごとに管理情報７１を備える。管理情報７１は、該当の配信グループリスト管理者が使用する配信グループリスト管理者電話機１３４の電話番号、暗証番号および、１以上のリストＩＤ４５を含む。管理情報７１が２以上のリストＩＤ４５を含む場合、該当の配信グループリスト管理者は、複数の配信グループリスト５１を管理していることになる。
【００７７】
図１４は、配信グループリスト管理者用応答部１３１において配信グループリスト５１を新規作成する手順の一例を示す。
【００７８】
配信グループリスト管理者は、配信グループリスト管理者電話機１３４から、配信グループリスト管理者用応答部１３１の電話番号である配信グループリスト管理者用電話番号を用いて、配信グループリスト管理者用応答部１３１に電話をし、予め定められた新規作成のための操作番号、新たに作成される配信グループリストに割り当てたいリストＩＤおよび、暗証番号をダイヤルトーン入力する。
【００７９】
ステップＳ２０１、Ｓ２０３：配信グループリスト管理者用応答部１３１は、ダイヤルトーンを確認したなら、ダイヤルトーン入力された暗証番号と発信元の電話番号を含む管理情報７１内の暗証番号が一致するか否かを判定する。  
ステップＳ２０５：配信グループリスト管理者用応答部１３１は、暗証番号が一致しないなら、通話を切断し、ステップＳ２０１に戻る。
【００８０】
ステップＳ２０７：配信グループリスト管理者用応答部１３１は、暗証番号が一致したなら、ダイヤルトーン入力された新たなリストＩＤを、該当の配信グループリスト管理者の管理情報７１に含ませる。  
ステップＳ２０９、Ｓ２１１：配信グループリスト管理者用応答部１３１は、図１５に示すようなリスト情報１４１をデータ転送部１３３に送信し、通話切断後、ステップＳ２０１に戻る。
【００８１】
新規作成の場合のリスト情報１４１は、通知フラグ、リストＩＤ、配信先リストおよび、登録認証番号を含む。通知フラグは「新規作成」であり、配信先リストは「配信グループリスト管理者電話機１３４の電話番号」であり、登録認証番号は空である。
【００８２】
図１６は、配信グループリスト管理者用応答部１３１において配信グループリスト５１を削除する手順の一例を示す。
【００８３】
配信グループリスト管理者は、配信グループリスト管理者電話機１３４から、配信グループリスト管理者用電話番号を用いて、配信グループリスト管理者用応答部１３１に電話をし、予め定められた削除のための操作番号、削除したい配信グループリストのリストＩＤおよび、暗証番号をダイヤルトーン入力する。
【００８４】
ステップＳ２３１、Ｓ２３３：配信グループリスト管理者用応答部１３１は、ダイヤルトーンを確認したなら、ダイヤルトーン入力された暗証番号と発信元の電話番号を含む管理情報７１内の暗証番号が一致するか否かを判定する。
【００８５】
ステップＳ２３５：配信グループリスト管理者用応答部１３１は、暗証番号が一致しないなら、通話を切断し、ステップＳ２３１に戻る。  
ステップＳ２３７：配信グループリスト管理者用応答部１３１は、暗証番号が一致したなら、ダイヤルトーン入力されたリストＩＤを、該当の配信グループ管理者の管理情報７１から削除する。
【００８６】
ステップＳ２３９、Ｓ２４１：配信グループリスト管理者用応答部１３１は、図１７に示すようなリスト情報１５１をデータ転送部１３３に送信し、通話切断後、ステップＳ２３１に戻る。  
削除の場合のリスト情報１５１では、通知フラグは「削除」であり、配信先リストと登録認証番号は空である。
【００８７】
図１８は、配信グループリスト管理者用応答部１３１において配信グループリスト５１に対しグループユーザ情報の追加・変更・削除を行う手順の一例を示す。
【００８８】
配信グループリスト管理者は、配信グループリスト管理者電話機１３４から、配信グループリスト管理者用電話番号を用いて、配信グループリスト管理者用応答部１３１に電話をし、予め定められたグループユーザ情報の追加・変更・削除のための操作番号、追加・変更・削除後の配信グループリストに含まれるグループユーザ情報、対象の配信グループリストのリストＩＤおよび、暗証番号をダイヤルトーン入力する。
【００８９】
ステップＳ２５１、Ｓ２５３：配信グループリスト管理者用応答部１３１は、ダイヤルトーンを受信したなら、ダイヤルトーン入力された暗証番号と発信元の電話番号を含む管理情報７１内の暗証番号が一致するか否かを判定する。
【００９０】
ステップＳ２５５：配信グループリスト管理者用応答部１３１は、暗証番号が一致しなら、通話を切断し、ステップＳ２５１に戻る。  
ステップＳ２５７：配信グループリスト管理者用応答部１３１は、暗証番号が一致したなら、配信グループリスト登録者用応答部１３２の電話番号である登録者用電話番号および、登録認証番号を発行し、配信グループリスト管理者に音声などで通知する。
【００９１】
ステップＳ２５９、２６１：配信グループリスト管理者用応答部１３１は、配信グループリスト登録者用応答部１３２および、データ転送部１３３に対し、図１９に示すようなリスト情報１６１を送信し、通話切断後、ステップＳ２５１に戻る。
【００９２】
グループユーザ情報の追加・変更・削除の場合のリスト情報１６１では、通知フラグは「配信先追加」、「配信先変更」または「配信先削除」であり、配信先リストは、ダイヤルトーン入力された「追加・変更・削除後の配信グループリストに含まれるグループユーザ情報」であり、登録認証番号は、ステップＳ２５７で発行された登録認証番号である。
【００９３】
配信グループリスト管理者は、登録者用電話番号（配信グループリスト登録者用応答部１３２の電話番号）および、登録認証番号を、配信先リスト内のグループユーザ情報に対応する配信先ユーザに対して、メール、電話などで伝達する。
【００９４】
図２０は、配信グループリスト登録者用応答部１３２における処理手順の一例を示す。
【００９５】
登録者用電話番号および、登録認証番号を知った配信先ユーザは、配信先ユーザ電話機１３５から、登録者用電話番号を用いて配信グループリスト登録者用応答部１３２に電話をし、登録認証番号をダイヤルトーン入力する。
【００９６】
ステップＳ２７１、Ｓ２７３：配信グループリスト登録者用応答部１３２は、ダイヤルトーン入力を確認したなら、配信グループリスト管理者用応答部１３１からリスト情報を既に受信しているか否かを判定する。
【００９７】
ステップＳ２７５：配信グループリスト登録者用応答部１３２は、リスト情報を受信していないなら、通話を切断し、ステップＳ２７１に戻る。
【００９８】
ステップＳ２７７：配信グループリスト登録者用応答部１３２は、リスト情報を既に受信しているなら、リスト情報内の配信先リスト内に、電話した配信先ユーザ電話機１３５の電話番号やＳＩＰアドレスがあり、且つ、リスト情報内の登録認証番号とダイヤルトーン入力された登録認証番号が一致するか否かを判定する。
【００９９】
ステップＳ２７５：配信グループリスト登録者用応答部１３２は、リスト情報内の配信先リスト内に、電話した配信先ユーザ電話機１３５の電話番号、ＳＩＰアドレスのいずれもがない、または、リスト情報内の登録認証番号とダイヤルトーン入力された登録認証番号が一致しないなら、通話を切断し、ステップＳ２７１に戻る。
【０１００】
ステップＳ２７９、Ｓ２８１：配信グループリスト登録者用応答部１３２は、リスト情報内の配信先リスト内に、電話した配信先ユーザ電話機１３５の電話番号があり、且つ、リスト情報内の登録認証番号とダイヤルトーン入力された登録認証番号が一致するなら、電話した配信先ユーザ電話機１３５の電話番号（以下、配信先電話番号）と登録認証番号をデータ転送部１３３に通知し、通話切断後、ステップＳ２７１に戻る。
【０１０１】
図２１は、データ転送部１３３における処理手順の一例を示す。
【０１０２】
ステップＳ３０１：データ転送部１３３は、配信グループリスト管理者用応答部１３１から送信されるリスト情報を待機する。
【０１０３】
ステップＳ３０３、Ｓ３０５：データ転送部１３３は、リスト情報を受信し、その通知フラグが「新規作成」なら、リスト情報（リスト情報１４１）内の配信先リストの各配信先につき、その配信先の電話番号またはＳＩＰアドレスであるグループユーザ情報を得て、これらのグループユーザ情報からなる配信グループリスト５１を作成し、リスト情報内のリストＩＤを割り当て、配信グループ記憶部１７に記憶させ、ステップＳ３０１に戻る。
【０１０４】
ステップＳ３０７、Ｓ３０９：データ転送部１３３は、通知フラグが「削除」なら、配信グループ記憶部１７から、リスト情報内のリストＩＤを割り当てられた配信グループリスト５１を削除し、ステップＳ３０１に戻る。
【０１０５】
ステップＳ３１１、Ｓ３１３：データ転送部１３３は、通知フラグが「配信先追加」、「配信先変更」または「配信先削除」なら、リスト情報内の登録認証番号と配信グループリスト登録者用応答部１３２から通知された登録認証番号とが一致し、且つ、リスト情報内の配信先リスト内に、配信グループリスト登録者用応答部１３２から通知された配信先電話番号やこれをＳＩＰアドレスに変換したものが含まれるか否かを判定する。
【０１０６】
データ転送部１３３は、通知フラグが「新規作成」、「削除」、「配信先追加」、「配信先変更」または、「配信先削除」でないなら、または、リスト情報内の登録認証番号と、配信グループリスト登録者用応答部１３２から送信された登録認証番号が一致しないなら、または、リスト情報内の配信先リスト内に、配信グループリスト登録者用応答部１３２から通知された配信先電話番号等が含まれないなら、ステップＳ３０１に戻る。
【０１０７】
ステップＳ３１５：データ転送部１３３は、登録認証番号が一致し、且つ、リスト情報の配信先リスト内に通知された配信先電話番号等が含まれていたなら、配信グループ記憶部１７から、リスト情報内のリストＩＤを割り当てられた配信グループリスト５１を検索し、これをリスト情報内の配信先リストと同じグループユーザ情報を含むものにする。
【０１０８】
ステップＳ３１７：データ転送部１３３は、ステップＳ３１５で配信グループリスト５１に追加されたグループユーザ情報に該当する配信クライアント装置２の認証リスト２７に対し、例えば、配信サーバ装置１のＳＩＰアドレスである認証キーを記憶させ、一方、ステップＳ３１５で配信グループリスト５１から削除されたグループユーザ情報に該当する配信クライアント装置２の認証リスト２７から例えば、配信サーバ装置１のＳＩＰアドレスである認証キーを削除し、ステップＳ３０１に戻る。
【０１０９】
以上、本実施の形態について説明し、その中で、配信クライアント装置２は電話機３７に接続されているとしたが、接続されていなくてもよい。
【０１１０】
また、配信クライアント装置２は、ホームゲートウェイ上に実装しているが、パソコン、スマートフォンなどに実装してもよい。
【０１１１】
本実施の形態における音声記録部１３はタイマー機能を有しないが、配信クライアント装置２で再生可能な広告登録時間に規定がある場合には、音声記録部１３にタイマー機能を設け、録音開始後一定時間経過後に録音を終了し、音声ファイルＩＤ４２を付与して音声保存データベース４１に記憶させ、ＳＩＰ応答機能部１２に切断通知を送信してもよい。
【０１１２】
また、音声ファイルＩＤ４２は、ＳＩＰサーバ３４から送信される発信元の電話番号等および記録年月日時分秒からなる文字列として説明したが、ＳＩＰサーバ３４から送信され、発信元と音声ファイルの順序を特定できる情報であればこれに限定されるものでなく、例えば発信元のＳＩＰアドレスや、通し番号を利用してもよい。
【０１１３】
また、音声ファイル登録通知は、音声ファイルＩＤ４２、発信元情報４４および、リストＩＤ４５を含む情報であればこれに限るものではない。
【０１１４】
また、リストＩＤ４５は５桁の番号としたが、数字の組み合わせで表現できるものであれば何桁の番号でもよい。
【０１１５】
また、音声保存データベース４１は、音声ファイルＩＤ４２を検索キーとした問い合わせに対し、音声ファイル４３と発信元情報４４を返却すると説明したが、発信元情報４４を検索キーとしてもよい。
【０１１６】
また、配信グループ登録解除装置３５は、配信サーバ装置１の外部装置としたが、配信サーバ装置１の内部に設けてもよい。
【０１１７】
また、音声保存データベース４１は、配信サーバ装置１内にあるとしたが、配信サーバ装置１の外部装置に設けてもよい。
【０１１８】
また、配信グループリスト５１を構成するグループユーザ情報は、電話番号またはＳＩＰアドレスとしたが、これに限らず、例えばさらに、配信先名称、ユーザＩＤなどを含んでもよい。
【０１１９】
また、配信クライアント装置２へのスピーカ３６の接続は、例えばオーディオ接続、あるいはＵＰｎＰ、あるいはＵＳＢなどを利用することができる。配信クライアント装置２が備える内蔵スピーカを利用してもよい。
【０１２０】
また、スピーカ３６は、配信クライアント装置２との直接接続せず、例えば、オーディオインタフェースを介してもよい。
【０１２１】
また、第２の実施例として、配信グループ登録解除装置３５をウェブアプリケーションとして実装してもよい。
【０１２２】
配信グループリスト管理者は、リストＩＤ４５、配信グループリスト管理者のログインＩＤおよび暗証番号からなる管理情報７１を利用して管理者ページにログインし、配信グループリスト５１の新規作成・削除、配信先の追加・変更・削除を実施する。ログインＩＤは、配信グループリスト管理者の電話番号やサービス事業者が予め通知しておいたログインＩＤを利用する。配信グループリスト管理者が管理者ページ上で操作した結果は、管理情報７１および配信グループリストに反映される。
【０１２３】
同様に、配信先ユーザの確認操作もウェブアプリケーションを利用してもよい。配信先のユーザは、管理者が予め通知しておいた一時的なログインＩＤとパスワードを利用して配信グループ登録解除装置３５にログインし、確認操作を実施する。
【０１２４】
また、第３の実施例として、音声広告配信機能部１４のＳＩＰ発信機能部１６を、テキストメッセージ受信機能と音声合成機能部に変更し、受信したテキストデータを音声合成機能を利用して音声に変換し、これを音声記録部１３に保存するようにしてもよい。
【０１２５】
以上のように、本実施の形態においては、配信サーバ装置の音声広告受信機能部に音声記録部を実装したことで、広告配信者が電話に向かって話した音声を録音し、配信サーバ装置側で予め指定したグループに自動で配信する処理を実行することにより、広告配信者の既存設備を利用できるとともに、音声広告作成の負担を軽減し、リアルタイムに複数の店舗に配信できるという利点がある。
【０１２６】
さらに配信グループリストは、配信グループリストの管理者のみが利用するものではなく、配信グループリストに含まれる電話番号もしくはＳＩＰアドレスからの発信であれば、同じ配信グループリストを利用した配信を行うことができる。
【０１２７】
さらに、配信サーバ装置の音声広告配信機能部と、配信クライアント装置のＳＩＰ応答機能部を実装し、配信クライアント装置への着信タイミングに応じて音声を頭から自動再生する処理を実行することで、広告配信者が指定した店舗グループに一斉配信する際に、配信先の着信タイミングに関わらず、電話による音声広告配信を確実に行えるという利点がある。
【０１２８】
さらに、ホームゲートウェイにＳＩＰ応答機能部を実装し、配信クライアント装置とすることで、電話機を利用せずにＳＩＰメッセージを自動受信し、配信先で着信操作を行うことなく、配信先の既存設備であるスピーカに音声放送を送出することができるという利点がある。
【０１２９】
本発明のポイントとしては、まず、配信サーバ装置にグルーピング機能を持たせることで多人数に配信する場合にも一般の電話機を使って配信音声を登録できる。
【０１３０】
次に、配信サーバ装置をホームゲートウェイに実装すれば、ホームゲートウェイで自動着信することで、着呼側は既設の放送設備（スピーカ）を利用できる。
【０１３１】
次に、配信サーバ装置で電話音声をバッファさせることで、店舗ごとの着呼タイミングの差異を吸収することができる。
【０１３２】
また、配信グループリストに含まれるメンバであれば、同じ配信グループリストを相互に利用することができる。
【符号の説明】
【０１３３】
１…配信サーバ装置
２…配信クライアント装置
１１…音声広告受信機能部
１２…ＳＩＰ応答機能部
１３…音声記録部
１４…音声広告配信機能部
１５…音声発信制御部
１６…ＳＩＰ発信機能部
１７…配信グループ記憶部
２１…ＳＩＰプロトコルモジュール
２２…音声広告受信機能部
２３…ＳＩＰ応答機能部
２４…スピーカ出力機能部
２５…音声変換機能部
２６…再生機能部
２７…認証リスト
３３…電話機
３４…ＳＩＰサーバ
３５…配信グループ登録解除装置
３６…スピーカ
３７…電話機
４１…音声保存データベース
４２…音声ファイルＩＤ
４３…音声ファイル
４４…発信元情報
４５…リストＩＤ
５１…配信グループリスト
７１…管理情報
１３１…配信グループリスト管理者用応答部
１３２…配信グループリスト登録者用応答部
１３３…データ転送部
１３４…配信グループリスト管理者電話機
１３５…配信先ユーザ電話機
１４１…リスト情報
１５１…リスト情報
１６１…リスト情報
３００…スピーカ
７００…子プロセス
【図１】
2015026985.tif 000003
【図２】
2015026985.tif 000004
【図３】
2015026985.tif 000005
【図４】
2015026985.tif 000006
【図５】
2015026985.tif 000007
【図６】
2015026985.tif 000008
【図７】
2015026985.tif 000009
【図８】
2015026985.tif 000010
【図９】
2015026985.tif 000011
【図１０】
2015026985.tif 000012
【図１１】
2015026985.tif 000013
【図１２】
2015026985.tif 000014
【図１３】
2015026985.tif 000015
【図１４】
2015026985.tif 000016
【図１５】
2015026985.tif 000017
【図１６】
2015026985.tif 000018
【図１７】
2015026985.tif 000019
【図１８】
2015026985.tif 000020
【図１９】
2015026985.tif 000021
【図２０】
2015026985.tif 000022
【図２１】
2015026985.tif 000023